(57)【要約】      （修正有）【課題】ストッパーアーム構造を具有するスライド式ウェットティッシュ蓋の構造を提供する。【解決手段】枠本体２０及びスライド蓋１を含むストッパーアーム構造を有する。枠本体は一つの開口を有し、枠本体をウェットティッシュ包装或いはドライ、ウェットタイプのトイレットペーパー包装に対応して取出口に合わすことができる。枠本体の内縁両サイドにスライド槽２を凹設し、スライド槽の周壁に出っ張りを設け、アーム収納スペースを形成する。スライド槽は一つのスライド蓋に対応し、スライド蓋は枠本体のスライド槽内の予定するルートをスムーズに滑ることで、開閉する。且つスライド蓋の両サイドにそれぞれスライド蓋滑動補助凸部１１を延伸し、各一つのスライド蓋滑動補助凸部の前端に一つのストッパーアームを設置し、各ストッパーアームとスライド蓋の周囲縁の間に、スロットを形成する。【選択図】図１
0003200490.tif 000002
【実用新案登録請求の範囲】
【請求項１】
枠本体及びスライド蓋を含み、
該枠本体は開口を具有し、該枠本体の内縁両サイドにそれぞれスライド槽を凹設し、該スライド槽の周壁に出っ張りを設けることで、第一アーム収納スペースと第二アーム収納スペースを形成し、該スライド槽はスライド蓋に対応して挿置し、該スライド蓋は前記枠本体の前記スライド槽内のルートをスムーズに滑ることで、開閉することができ、
該スライド蓋の両サイドにそれぞれスライド蓋滑動補助凸部を延伸し、前記スライド蓋滑動補助凸部の前端に一つのストッパーアームを設置し、該ストッパーアームと前記スライド蓋の周囲縁の間に、弾性を持って伸縮できるスロットを形成し、前記スライド蓋を開閉する際、前記スライド蓋の両サイドに設置する前記ストッパーアームは、前記スライド槽内の両サイドにある前記第一アーム収納スペース、前記第二アーム収納スペース及び前記出っ張りの作用により、適した緊密度で進退し、前記スライド蓋を開閉できる状態に達することを特徴とするストッパーアーム構造を具有するスライド式ウェットティッシュ蓋の構造。
【請求項２】
前記スライド蓋は前記枠本体の前記スライド槽の中に対応して挿置し、前記スライド蓋の両サイドに設置する弾性に伸縮できる前記ストッパーアームが前記スライド槽内の両サイドにある前記出っ張りに押されることで、前記ストッパーアームの前記スロットのスペースがやや縮小し、適した緊密度で前記第二アーム収納スペース内に進入して制止定位することを特徴とする請求項１記載のストッパーアーム構造を具有するスライド式ウェットティッシュ蓋の構造。
【請求項３】
該スライド蓋は前向きに押すことができ、且つ前記スライド蓋の両サイドに設置する弾性に伸縮できる前記ストッパーアームが前記スライド槽内の両サイドにある前記出っ張りに押されることで、前記ストッパーアームの前記スロットのスペースがやや縮小し、適した緊密度で再び前記第一アーム収納スペース内に進入し、それにより前記スライド蓋と前記枠本体が対応する両サイドがしっかりと閉じる状態を呈することを特徴とする請求項１記載のストッパーアーム構造を具有するスライド式ウェットティッシュ蓋の構造。
【請求項４】
前記枠本体をウェットティッシュ包装、ウェットタイプのトイレットペーパー包装、或いはドライタイプのトイレットペーパー包装のうちのいずれかの包装に対応して粘着することで、前記枠本体の開口が該ウェットティッシュ包装或いはドライタイプ又はウェットタイプのトイレットペーパー包装の取出口に合わすことができることを特徴とする請求項１記載のストッパーアーム構造を具有するスライド式ウェットティッシュ蓋の構造。
【請求項５】
前記スライド蓋が前記枠本体の一端と対応するのは、スライド蓋開閉端であり、該スライド蓋の開閉端にスライド蓋開閉端フランジを延伸して設置し、且つ前記枠本体内に枠本体内端凹フランジを設置することで、前記ストッパーアームが前記枠本体の前記スライド槽の前記第一アーム収納スペース内に入った際、前記スライド蓋開閉端フランジは、前記枠本体内端凹フランジ内に対応して挿置するため、しっかりと閉じる状態を呈することを特徴とする請求項１記載のストッパーアーム構造を具有するスライド式ウェットティッシュ蓋の構造。
【請求項６】
前記スライド蓋が前記枠本体の一端と対応して挿置するのはスライド蓋開閉端であり、該スライド蓋の開閉端にスライド蓋開閉端フランジを延伸して設置しているため、前記スライド蓋開閉端フランジと対応する背面端にスライド蓋開閉端下ブロックを突設し、且つ前記枠本体内に前記スライド蓋開閉端下ブロックと対応する枠本体内端溝を設置し、該スライド蓋を前向きに押して閉めると、前記スライド蓋と前記枠本体が対応する両端がしっかりと閉じる状態を呈する際、前記スライド蓋開閉端下ブロックが前記枠本体内端溝内と合わせてしっかりと互いに制止することを特徴とする請求項１記載のストッパーアーム構造を具有するスライド式ウェットティッシュ蓋の構造。
【請求項７】
該スライド蓋が前記枠本体の一端と対応して挿置するのはスライド蓋開閉端であり、前記スライド蓋開閉端と相反する一端の背面端に、スライド蓋制止部を設置し、且つ前記枠本体が前記スライド蓋に対応して挿置し、閉じる一端は前記枠本体の開閉端であり、該枠本体の開閉端と相反する一端に設置するのは、前記スライド蓋制止部と対応する枠本体制止凹フランジであり、
前記スライド蓋を前向きに押して閉じることで、前記スライド蓋と前記枠本体が対応する両端はしっかりと閉じる状態を呈し、それにより前記スライド蓋制止部と前記枠本体制止凹フランジが互いにしっかりと合わさることを特徴とする請求項１記載のストッパーアーム構造を具有するスライド式ウェットティッシュ蓋の構造。
【請求項８】
前記スライド蓋と前記枠本体の形状は、互いに対応できる長方形、正方形、円形、或いは幾何形状のうち一つに設置することを特徴とする請求項１記載のストッパーアーム構造を具有するスライド式ウェットティッシュ蓋の構造。
【請求項９】
前記スライド蓋にスライド蓋開閉補助突起を設け、ユーザーが前記スライド蓋開閉補助突起の設置を介し、スムーズに安定して軽々とスライド蓋を開閉することができることを特徴とする請求項１記載のストッパーアーム構造を具有するスライド式ウェットティッシュ蓋の構造。
【請求項１０】
前記スライド蓋と前記枠本体には文字と図柄を設置することを特徴とする請求項１記載のストッパーアーム構造を具有するスライド式ウェットティッシュ蓋の構造。
【考案の詳細な説明】
【技術分野】
【０００１】
本考案はストッパーアーム構造を具有するスライド式ウェットティッシュ蓋の構造に関し、特にスライド蓋は弾性な張力を伸縮するストッパーアームを具有し、適した緊密度でスムーズにスライドして開閉できるため、ウェットティッシュ或いはドライ、ウェットタイプのトイレットペーパーを取り出して使用する際、更に便利になるストッパーアーム構造を具有するスライド式ウェットティッシュ蓋の構造に関する。
【背景技術】
【０００２】
時代の進歩につれ、ウェットティッシュ或いはウェットタイプのトイレットペーパーに対するニーズはもはや大きな消費量を占めるようになった。外出して遊ぶとき、赤ちゃんの世話をする時にウェットティッシュ或いはウェットタイプのトイレットペーパーが特に頻繁に使用される。生活する中でウェットティッシュを使用するシーンは例えば、手が汚れたのに水がない、或いは持ち物に汚れがついたときなどは、取りあえずウェットティッシュで拭く。また、トイレに行った際に、必要がある場合にウェットティッシュ或いはウェットタイプのトイレットペーパーでお尻を拭くのも大変便利である。
【０００３】
従来技術の一般的に市場で見られるウェットティッシュ包装或いはウェットタイプのトイレットペーパー包装は、その取出口を開閉するのは、ほぼプラスティックフィルムの粘着タイプの構造を採用する。プラスティックフィルムを数回開閉すると、ウェットティッシュ包装或いはウェットタイプのトイレットペーパー包装袋の取出口部分に、指が何度も触る、或いは粉塵の汚れなどが付着するために、粘着性が悪くなり、再び取出口を密閉することができず、袋内にあるウェットティッシュ或いはウェットタイプのトイレットペーパーの湿度を保つことができず、ウェットティッシュ或いはウェットタイプのトイレットペーパーが乾く状態を招く。それを鑑みて一種のウェットティッシュボックスの蓋を案出し、例えば台湾実用新案第Ｍ４４７７４９号の「ウェットティッシュボックスの蓋」では、該ウェットティッシュボックスの蓋と枠本体の片側が接続し、且つボックス蓋は枠本体の一つの開口を蓋合できる。枠本体は固定粘着剤層及び脱着接着剤層を介し、枠本体を何度もウェットティッシュ包装袋の取出口周囲を粘着することができ、ウェットティッシュ包装袋が確実に密閉度を維持できるほか、更にウェットティッシュ包装袋の内容物を使用した後、ウェットティッシュボックス蓋を剥がして再利用することができる。しかし、実用新案第Ｍ４４７７４９号には下記の欠点があった：該ボックス蓋と枠本体の接続部分は、開閉する回数が増えるのに従い、切れやすくなる；枠本体はウェットティッシュ包装袋の取出口の周囲に重複して貼ることはできるが、固定粘着剤及び脱着接着剤を準備するのは、複雑性があり、且つ長期的に重複して使用すると、脱落する可能性があることを鑑みて、更なる改善が必要であった。
【先行技術文献】
【特許文献】
【０００４】
【特許文献１】台湾実用新案第Ｍ４４７７４９号明細書
【考案の概要】
【考案が解決しようとする課題】
【０００５】
前記公知構造の欠点を解決するため、本考案の第１の目的は、スライド蓋のストッパーアームは、スライド槽内のアーム収納スペース及び出っ張りの作用により、適した緊密度で進退するストッパーアーム構造を具有するスライド式ウェットティッシュ蓋の構造を提供することにある。
本考案の第２の目的は、該スライド蓋開閉端フランジと対応する背面端にスライド蓋開閉端下ブロックを突設し、且つスライド蓋開閉端と相反する一端の背面端に、スライド蓋制止部を設置することで、スライド蓋開閉端下ブロックが、枠本体の枠本体内端溝内に対応して制止すると同時に、スライド蓋制止部はまた、枠本体制止凹フランジと対応してしっかりと合わさるストッパーアーム構造を具有するスライド式ウェットティッシュ蓋の構造を提供することにある。
【課題を解決するための手段】
【０００６】
前記課題を解決するために、本考案はストッパーアーム構造を具有するスライド式ウェットティッシュ蓋の構造を提供するものである。該スライド蓋は手でスムーズに滑動できるだけでなく、安定して開閉でき、且つスライド時の緊密度が適切である。該スライド蓋の構造に含まれるのは一つの枠本体であり、該枠本体の内縁両サイドにそれぞれスライド槽を凹設し、スライド槽の周壁に出っ張りを設けることで、アーム収納スペースを形成する。該スライド槽は一つのスライド蓋に対応して挿置し、スライド蓋は枠本体のスライド槽内の予定するルートをスムーズに滑ることで、開閉することができる。且つスライド蓋の両サイドにそれぞれスライド蓋滑動補助凸部を延伸し、各一つのスライド蓋滑動補助凸部の前端に一つのストッパーアームを設置し、各ストッパーアームとスライド蓋の周囲縁の間に、弾性を持って伸縮できるスロットを形成する。スライド蓋を開閉する際、スライド蓋のストッパーアームは、スライド槽内のアーム収納スペース及び出っ張りの作用により、適した緊密度で進退し、随時ウェットティッシュ或いはドライ、ウェットタイプのトイレットペーパーを取り出すのが便利となり、且つウェットティッシュ包装或いはドライ、ウェットタイプのトイレットペーパー包装の取出口にしっかりと密着して貼ることで、使用時の便利な実用性に達する。
【０００７】
本考案の第２の目的は、ストッパーアーム構造を具有するスライド式ウェットティッシュ蓋の構造を提供するものである。該スライド蓋開閉端フランジと対応する背面端にスライド蓋開閉端下ブロックを突設し、合わせて枠本体内の枠本体内端溝内に制止する。且つスライド蓋開閉端と相反する一端の背面端に、スライド蓋制止部を設置する。一方、枠本体開閉端と相反する一端に、スライド蓋制止部と互いに対応する枠本体制止凹フランジを設置する。該スライド蓋が完全にスライドされて該枠本体のスライド槽内に挿置された際、スライド蓋開閉端下ブロックが、枠本体の枠本体内端溝内に対応して制止すると同時に、スライド蓋制止部はまた、枠本体制止凹フランジと対応してしっかりと合わさることで、ウェットティッシュ包装或いはドライ、ウェットタイプのトイレットペーパー包装の取出口が、スライド蓋と枠本体の対応する両端によっていずれもしっかりと密閉するように粘着しているため、当該取出口をしっかり閉じることができ、保湿乾燥防止の特別な効果に達することができる。
【考案の効果】
【０００８】
本考案の構造により、ウェットティッシュ包装或いはドライ、ウェットタイプのトイレットペーパー包装の取出口が、スライド蓋と枠本体の対応する両端によっていずれもしっかりと密閉するように粘着し、当該取出口をしっかり閉じることができ、確実且つ有効的にウェットティッシュ或いはウェットタイプのトイレットペーパーの保湿と乾燥防止のベストな効果に達することができる。
【図面の簡単な説明】
【０００９】
【図１】本考案の最良実施例の立体略図である。
【図２】本考案の最良実施例の断面俯瞰図である。
【図３】本考案のスライド蓋の最良実施例の立体略図である。
【図４】本考案の枠本体の最良実施例の立体略図である。
【図５】本考案の枠本体とスライド蓋の最良実施例の立体略図である。
【図６】本考案の最良実施例の立体組合略図である。
【考案を実施するための形態】
【００１０】
以下、本考案の構造と特徴および効果を、最良実施例と図面を参照しながら詳細に説明する。
【実施例】
【００１１】
図１に示すように、本考案のストッパーアーム構造のスライド式ウェットティッシュ蓋装置の構造に含まれるのは、一つの枠本体２０であり、該枠本体２０に一つの開口を具有することで、枠本体２０をウェットティッシュ包装或いはドライ、ウェットタイプのトイレットペーパー包装に対応して粘着する際に、該ウェットティッシュ包装或いはドライ、ウェットタイプのトイレットペーパー包装の取出口に合わすことができる。
【００１２】
図２、図３、図４、図５及び図６に示すように、本考案の枠本体２０の内縁両サイドにスライド槽２を凹設し、スライド槽２の周壁に出っ張り２３を設けることで、第一アーム収納スペース２１と第二アーム収納スペース２２を形成する。且つ、該スライド槽２は一つのスライド蓋１に対応して挿置し、スライド蓋１は枠本体２０のスライド槽２内の予定するルートをスムーズに滑ることで、開閉することができる。その中、スライド蓋１が枠本体２０の一端に対応して挿置するのは、スライド蓋開閉端である。且つ枠本体２０がスライド蓋１に対応し、挿置して閉める一端は、枠本体の開閉端である。本考案のスライド蓋１と枠本体２０の形状は、ニーズに基づき、互いに対応できる長方形、正方形、円形、或いはその他の異なる幾何形状に設置することができる。且つスライド蓋１と枠本体２０には、ニーズに基づき、文字と様々な図柄を設置することもできる。該スライド蓋１の頂面にスライド蓋開閉補助突起１３を設け、ユーザーが手でスライド蓋１を前後にスライドして開閉する際、該スライド蓋開閉補助突起１３の設置を介し、スムーズに安定して軽々とスライド蓋１を開閉することができる。前述のスライド蓋開閉補助突起１３は更に、ニーズに基づきスライド蓋１の前端或いはスライド蓋１のその他の適切な場所に設置することができ、同様に便利にスライド蓋１を開閉しやすい効果に達する。その中、スライド蓋１の両サイドにそれぞれスライド蓋滑動補助凸部１１を延伸し、各一つのスライド蓋滑動補助凸部１１の前端に一つのストッパーアーム１２を設置し、各ストッパーアーム１２とスライド蓋１の周囲縁の間に、弾性を持って伸縮できるスロット２４を形成する。スライド蓋１を開閉する際、スライド蓋１の両サイドに設置するストッパーアーム１２は、スライド槽２内の両サイドにあるアーム収納スペース及び出っ張り２３の作用により、適した緊密度で進退する。同時に図２を参照し、該スライド蓋１をスライド槽２に対応して挿置し、開閉を実施する際、スライド蓋１の両サイドに設置する弾性に伸縮できるストッパーアーム１２がスライド槽２内の両サイドにある出っ張り２３に押されることで、ストッパーアーム１２のスロット２４のスペースがやや縮小し、適した緊密度で第二アーム収納スペース２２内に進入して制止定位する。該ストッパーアーム１２が第二アーム収納スペース２２に制止定位する際、ウェットティッシュ包装或いはドライ、ウェットタイプのトイレットペーパー包装の取出口が即ち開かれた状態になる。且つストッパーアーム１２は第二アーム収納スペース２２の制止により定位するため、出っ張り２３からスライド槽２の外に出ることなく、スライド蓋１をユーザーが引っ張っても、スライド蓋１が枠本体２０の外部に滑り出してスライド蓋１を紛失する状況が起こらない。該スライド蓋１を再び前方向に押す際、該両サイドにあるストッパーアーム１２もまたスライド槽２内の両サイドの出っ張り２３によって押されるため、ストッパーアーム１２のスロット２４のスペースがやや縮小することで、適した緊密度で該第一アーム収納スペース２１内に入る。スライド蓋１の開閉端にスライド蓋開閉端フランジ１０を延伸して設置しているため、ストッパーアーム１２が第一アーム収納スペース２１内に入った際、図５に示すように、スライド蓋開閉端フランジ１０は、枠本体の枠本体内端凹フランジ３５内に対応して挿置する。更に図３及び図４に示すように、本考案のスライド蓋開閉端フランジ１０と対応する背面端にスライド蓋開閉端下ブロック３２を突設し、合わせて枠本体２０内の枠本体内端溝３１内で制止する。且つスライド蓋１開閉端と相反する一端の背面端に、スライド蓋制止部３４を設置する。枠本体２０開閉端と相反する一端に、互いに対応する枠本体制止凹フランジ３３を設置する。前述のスライド蓋制止部３４と枠本体制止凹フランジ３３の形状は、ニーズに基づき、他の互いに対応する形状にすることもできる。該スライド蓋１が完全にスライドされて該枠本体２０のスライド槽２内に挿置された際、スライド蓋開閉端下ブロック３２が、枠本体２０内の枠本体内端溝３１に併せて制止すると同時に、スライド蓋制止部３４はまた、枠本体制止凹フランジ３３と対応してしっかりと合わさることで、ウェットティッシュ包装或いはドライ、ウェットタイプのトイレットペーパー包装の取出口が、スライド蓋１と枠本体２０の対応する両端によっていずれもしっかりと密閉するように粘着しているため、当該取出口をしっかり閉じることができ、確実且つ有効的にウェットティッシュ或いはウェットタイプのトイレットペーパーの保湿と乾燥防止のベストな効果に達することができる。
【００１３】
以上の実施例は本考案の最良実施例のみであり、本考案の範囲を制限するものではない。本技術に熟知する者は、本考案と同じ考えの下、及び特許範囲内での如何なる変更および修正或いは均等性を行っても本考案の重要な意義は失われず、本考案の範囲に含まれる。
【符号の説明】
【００１４】
１ スライド蓋
１０  スライド蓋開閉端フランジ
１１  スライド蓋滑動補助凸部
１２  ストッパーアーム 
１３  スライド蓋開閉補助突起
２ スライド槽
２０   枠本体
２１  第一アーム収納スペース
２２  第二アーム収納スペース
２３  出っ張り
２４  スロット
３１  枠本体内端溝
３２  スライド蓋開閉端下ブロック
３３  枠本体制止凹フランジ
３４  スライド蓋制止部
３５  枠本体内端凹フランジ
【図１】
0003200490.tif 000003
【図２】
0003200490.tif 000004
【図３】
0003200490.tif 000005
【図４】
0003200490.tif 000006
【図５】
0003200490.tif 000007
【図６】
0003200490.tif 000008